(57)【特許請求の範囲】
【請求項１】
相対向する内壁面（１０１）を有する物品（１００）を吊り上げるための吊り具であって、
前記物品（１００）の内壁面（１０１）間の上部において前記物品（１００）に載置される中央部材（２０）と、
この中央部材（２０）の両側において前記内壁面（１０１）に近い位置でそれぞれ軸（１１）で回動可能に取り付けられた一対の梃部材（３０）とを備え、
前記一対の梃部材（３０）はそれぞれ、前記軸（１１）を支点（１１）とし、該支点（１１）と力点（３１ｐ）とを結ぶ第１アーム部（３１）と、前記支点（１１）と作用点（３２ｐ）とを結ぶ第２アーム部（３２）とを有し、前記支点（１１）の上方又は下方に作用点（３２ｐ）が配置され、前記力点（３１ｐ）は他のリンクで互いに連結されることなく、外力としての吊り上げ力Ｆが作用され、
前記軸（１１）は、前記支点（１１）と作用点（３２ｐ）との距離をＬ２、軸（１１）と該軸（１１）に近接する内壁面（１０１）との水平方向距離をＬ１としたとき、Ｌ１＜Ｌ２となる位置に設けられ、
前記第１アーム部（３１）はそれぞれ前記物品（１００）の吊り上げ時、互いに交差することなく力点（３１ｐ）同士が相対向するように前記支点（１１）より物品（１００）の内側に延び、各力点（３１ｐ）に外力としての吊り上げ力（Ｆ）が作用され、
前記第２アーム部（３２）はそれぞれ前記物品（１００）の吊り上げ時、前記支点（１１）の上方に位置し、その作用点（３２ｐ）が物品（１００）の内壁面（１０１）に押圧されることを特徴とする吊り具。
【請求項２】
相対向する内壁面（１０１）を有する物品（１００）を吊り上げるための吊り具であって、
前記物品（１００）の内壁面（１０１）間の上部において前記物品（１００）に載置される中央部材（２０）と、
この中央部材（２０）の両側において前記内壁面（１０１）に近い位置でそれぞれ軸（１１）で回動可能に取り付けられた一対の梃部材（３０）とを備え、
前記一対の梃部材（３０）はそれぞれ、前記軸（１１）を支点（１１）とし、該支点（１１）と力点（３１ｐ）とを結ぶ第１アーム部（３１）と、前記支点（１１）と作用点（３２ｐ）とを結ぶ第２アーム部（３２）とを有し、前記支点（１１）の上方又は下方に作用点（３２ｐ）が配置され、前記力点（３１ｐ）は他のリンクで互いに連結されることなく、外力としての吊り上げ力Ｆが作用され、
前記軸（１１）は、前記支点（１１）と作用点（３２ｐ）との距離をＬ２、軸（１１）と該軸（１１）に近接する内壁面（１０１）との水平方向距離をＬ１としたとき、Ｌ１＜Ｌ２となる位置に設けられ、
前記中央部材（２０）の両端には、それぞれ前記物品（１００）の内壁面（１０１）に連なる上面（１０２）と当接することで、物品（１００）に対する中央部材（２０）の上下方向の位置決めを行う位置決め部（２１）が設けられ、
前記位置決め部（２１）は前記物品（１００）の上面（１０２）に連なる外壁面（１０３）と対向する反力受け（２２）を有しており、一対の反力受け（２２）のうち少なくとも一方の反力受け（２２）には、先端が前記外壁面（１０３）と当接するボルト（２３）が設けられていることを特徴とする吊り具。
【請求項３】
請求項２において、
前記第１アーム部（３１）はそれぞれ前記物品（１００）の吊り上げ時、該物品（１００）の上方において該物品（１００）の外側まで延び、その力点（３１ｐ）に外力としての吊り上げ力（Ｆ）が作用され、
前記第２アーム部（３２）はそれぞれ前記物品（１００）の吊り上げ時、前記支点（１１）の下方に位置し、その作用点（３２ｐ）が物品（１００）の内壁面（１０１）に押圧されることを特徴とする吊り具。
【請求項４】
請求項１において、
前記中央部材（２０）の両端には、それぞれ前記物品（１００）の内壁面（１０１）に連なる上面（１０２）と当接することで、物品（１００）に対する中央部材（２０）の上下方向の位置決めを行う位置決め部（２１）が設けられていることを特徴とする吊り具。
【請求項５】
請求項４において、
前記位置決め部（２１）は前記物品（１００）の上面（１０２）に連なる外壁面（１０３）と対向する反力受け（２２）を有しており、一対の反力受け（２２）のうち少なくとも一方の反力受け（２２）には、先端が前記外壁面（１０３）と当接するボルト（２４）が設けられていることを特徴とする吊り具。
【請求項６】
請求項１〜５のうちいずれか一項において、
前記中央部材（２０）の上部には、該中央部材（２０）を前記物品（１００）上に載置する際に把持される把持部（２４）が設けられていることを特徴とする吊り具。
【請求項７】
請求項１〜６のうちいずれか一項において、
前記物品（１００）はコンクリートＵ字溝であり、前記軸（１１）と該軸（１１）に近接する内壁面（１０１）との水平方向距離Ｌ１は、２〜７ｃｍとすることを特徴とする吊り具。
【発明の詳細な説明】
【技術分野】
【０００１】
本発明は、相対向する内壁面を有する物品を吊り上げるための吊り具に関するものである。主として、コンクリートＵ字溝を吊り上げるのに適した吊り具に関するものである。
【背景技術】
【０００２】
従来、例えば特許文献１に見られるように、
相対向する内壁面を有する物品（１５）を吊り上げるための吊り具であって、
前記物品（１５）の内壁面間に上方から入り込む中央部材（１８）と、
この中央部材（１８）の両端部にそれぞれ軸（２０）（２１）で回動可能に取り付けられた一対の梃部材（４）（３）とを備え、
一対の梃部材（４）（３）はそれぞれ、前記軸（２０）（２１）を支点とし、該支点（２０）（２１）と力点（１０）（１１）とを結ぶ第１アーム部と、前記支点（２０）（２１）と作用点とを結ぶ第２アーム部（４ａ）（３ａ）とを有している吊り具が知られている。
【０００３】
前記一対の梃部材（４）（３）は、その力点（１０）（１１）が他のリンク（１）（２）および連結軸（９）で互いに連結されており、連結軸９に連結された吊環１２に、外力としての吊り上げ力が作用される。
【０００４】
この吊り具は、吊環１２に吊り上げ力が作用すると、同公報第２図に仮想線で示されるように、前記一対の梃部材（４）（３）および各リンクが変形し、梃部材（４）（３）の作用点に設けられた押圧板（１３）（１４）が物品（１５）の内壁面に押圧され、これによって物品（１５）を吊り上げることができる。
【０００５】
しかし、この特許文献１に見られるような吊り具は、一対の梃部材（４）（３）の力点（１０）（１１）が他のリンク（１）（２）および連結軸（９）で互いに連結されており、連結軸９に連結された吊環１２に外力としての吊り上げ力が作用される構造となっているため、構造が複雑であるとともに大型化および大重量化するという難点がある。
【０００６】
また、従来、例えば特許文献２に見られるように、
相対向する内壁面を有する物品（４）を吊り上げるための吊り具であって、
前記物品（４）の内壁面間に上方から入り込む中央部材（１）と、
この中央部材（１）の両端部にそれぞれ軸で回動可能に取り付けられた一対の扇形リンクとを備えた吊り具も知られている。
【０００７】
しかし、この特許文献２に見られるような吊り具における扇形リンクは梃を構成していないため、内壁面に対する十分な押圧力を得ることが困難である。
【０００８】
より詳しくは次の通りである。
図５で示すように、扇形リンクの軸部に作用する引き上げ力をＦ，この引き上げ力Ｆの、押圧部Ｔへ向かう成分をＦ１，扇形リンクの軸部と押圧部Ｔとを結ぶ線が水平線（押圧方向）となす角をθ、押圧部Ｔにおける押圧力（=反力）をＲ１とすると、
Ｆ１＝Ｆｓｉｎθ
Ｒ１＝Ｆ１ｃｏｓθ＝Ｆｓｉｎθ・ｃｏｓθ
となり、押圧力Ｒは引き上げ力Ｆよりも小さくなる。
このため、特許文献２に見られるような吊り具では、十分な押圧力を得ることが困難である。
【先行技術文献】
【特許文献】
【０００９】
【特許文献１】実公昭６０−０２２０５４号公報
【特許文献２】実開平０７−０２１６８２号公報
【発明の概要】
【発明が解決しようとする課題】
【００１０】
本発明が解決しようとする課題は、十分な押圧力を得ることができるとともに、構造の簡素化および小型軽量化が可能な吊り具を提供することである。
【課題を解決するための手段】
【００１１】
上記課題を解決するために本発明の吊り具は、
相対向する内壁面を有する物品を吊り上げるための吊り具であって、
前記物品の内壁面間の上部において前記物品に載置される中央部材と、
この中央部材の両側において前記内壁面に近い位置でそれぞれ軸で回動可能に取り付けられた一対の梃部材とを備え、
前記一対の梃部材はそれぞれ、前記軸を支点とし、該支点と力点とを結ぶ第１アーム部と、前記支点と作用点とを結ぶ第２アーム部とを有し、前記支点の上方又は下方に作用点が配置され、前記力点は他のリンクで互いに連結されることなく、外力としての吊り上げ力が作用され、
前記軸は、前記支点と作用点との距離をＬ２、軸と該軸に近接する内壁面との水平方向距離をＬ１としたとき、Ｌ１＜Ｌ２となる位置に設けられ、
前記第１アーム部（３１）はそれぞれ前記物品（１００）の吊り上げ時、互いに交差することなく力点（３１ｐ）同士が相対向するように前記支点（１１）より物品（１００）の内側に延び、各力点（３１ｐ）に外力としての吊り上げ力（Ｆ）が作用され、
前記第２アーム部（３２）はそれぞれ前記物品（１００）の吊り上げ時、前記支点（１１）の上方に位置し、その作用点（３２ｐ）が物品（１００）の内壁面（１０１）に押圧されることを特徴とする。
この吊り具によれば、一対の梃部材が軸で両側に回動可能に取り付けられた中央部材が、物品の内壁面間の上部において物品に載置されるから、物品に対して容易にセットすることができる。
そのため、例えば従来技術（特許文献１）で必要とされたような、一対の梃部材の力点を連結するためのリンク（１）（２）および連結軸（９）を設けなくても、一対の梃部材の力点に吊り上げ力を作用させることが可能となる。
したがって、一対の梃部材の力点を連結するためのリンク等が不要になる分だけ、構造の簡素化および小型軽量化が可能になる。
また、一対の梃部材はそれぞれ中央部材の両側において物品の内壁面に近い位置（前記支点と作用点との距離をＬ２、軸と該軸に近接する内壁面との水平方向距離をＬ１としたとき、Ｌ１＜Ｌ２となる位置）に設けられた軸で中央部材に回動可能に取り付けられているので、第１アーム部の長さに比べて第２アーム部の長さを十分に短くすることが可能となる。
したがって、物品の吊り上げ時、物品の内壁面に対する十分な押圧力を得ることが可能となる。
以上のように、この吊り具によれば、十分な押圧力を得ることができるとともに、構造の簡素化および小型軽量化が可能になる。
さらに、前記第１アーム部はそれぞれ前記物品の吊り上げ時、互いに交差することなく力点同士が相対向するように前記支点より物品の内側に延び、各力点に外力としての吊り上げ力が作用され、
前記第２アーム部はそれぞれ前記物品の吊り上げ時、前記支点の上方に位置し、その作用点が物品の内壁面に押圧される構成となっているので、
一対の第１アーム部がそれぞれ物品の吊り上げ時、互いに交差することなく力点同士が相対向するように前記支点より物品の内側に延びているため、これら力点にワイヤー等の吊り部材を連結して重機等で物品を吊り上げるのに好都合な吊り具を提供することができる。
また、上記課題を解決するために本発明の吊り具は、
相対向する内壁面を有する物品を吊り上げるための吊り具であって、
前記物品の内壁面間の上部において前記物品に載置される中央部材と、
この中央部材の両側において前記内壁面に近い位置でそれぞれ軸で回動可能に取り付けられた一対の梃部材とを備え、
前記一対の梃部材はそれぞれ、前記軸を支点とし、該支点と力点とを結ぶ第１アーム部と、前記支点と作用点とを結ぶ第２アーム部とを有し、前記支点の上方又は下方に作用点が配置され、前記力点は他のリンクで互いに連結されることなく、外力としての吊り上げ力が作用され、
前記軸は、前記支点と作用点との距離をＬ２、軸と該軸に近接する内壁面との水平方向距離をＬ１としたとき、Ｌ１＜Ｌ２となる位置に設けられ、
前記中央部材（２０）の両端には、それぞれ前記物品（１００）の内壁面（１０１）に連なる上面（１０２）と当接することで、物品（１００）に対する中央部材（２０）の上下方向の位置決めを行う位置決め部（２１）が設けられ、
前記位置決め部（２１）は前記物品（１００）の上面（１０２）に連なる外壁面（１０３）と対向する反力受け（２２）を有しており、一対の反力受け（２２）のうち少なくとも一方の反力受け（２２）には、先端が前記外壁面（１０３）と当接するボルト（２３）が設けられていることを特徴とする。
この吊り具によれば、
前記中央部材の両端には、それぞれ前記物品の内壁面に連なる上面と当接することで、物品に対する中央部材の上下方向の位置決めを行う位置決め部が設けられているので、内壁面の適切な位置を押圧することが可能となる。
また、前記位置決め部は前記物品の上面に連なる外壁面と対向する反力受けを有しており、一対の反力受けのうち少なくとも一方の反力受けには、先端が前記外壁面と当接するボルトが設けられているので、第２アーム部による内壁面に対する押圧力が仮に過度になったとしても、その過度分を反力受けで受け止めることが可能となるため、物品の破損を防止することができる。
【００１２】
この吊り具においては、
前記第１アーム部はそれぞれ前記物品の吊り上げ時、該物品の上方において該物品の外側まで延び、その力点に外力としての吊り上げ力が作用され、
前記第２アーム部はそれぞれ前記物品の吊り上げ時、前記支点の下方に位置し、その作用点が物品の内壁面に押圧される構成とすることができる。
このように構成すると、一対の第１アーム部がそれぞれ物品の吊り上げ時、該物品の上方において該物品の外側まで延びているため、一対の第１アーム部を二人の作業員で持ち上げるのに好都合な吊り具を提供することができる。
【００１６】
この吊り具においては、
前記中央部材の上部には、該中央部材を前記物品上に載置する際に把持される把持部が設けられている構成とすることができる。
このように構成すると、吊り具を物品上に容易に載置（セット）することができる。
【００１７】
この吊り具においては、
前記物品はコンクリートＵ字溝である場合には、前記軸と該軸に近接する内壁面との水平方向距離Ｌ１は、２〜７ｃｍとする。
このように構成すると、コンクリートＵ字溝を吊り上げるのに好適な吊り具を提供することができる。
【図面の簡単な説明】
【００１８】
【図１】本発明に係る吊り具の一実施の形態を示す図で、（ａ）は平面図、（ｂ）は正面図、（ｃ）は中央部材の平面図、（ｄ）は中央部材の正面図、（ｅ）は梃部材の平面図、（ｆ）は梃部材の正面図。
【図２】使用状態説明図。
【図３】本発明に係る吊り具の他の実施の形態を示す図で、（ａ）は平面図、（ｂ）は正面図、（ｃ）は中央部材の平面図、（ｄ）は中央部材の正面図、（ｅ）は梃部材の平面図、（ｆ）は梃部材の正面図。
【図４】使用状態説明図。
【図５】従来例の説明図。
【発明を実施するための形態】
【００１９】
以下、本発明に係る吊り具の実施の形態について図面を参照して説明する。なお、各図において、同一部分ないし相当する部分には、同一の符号を付してある。
【００２０】
図１および図２に示す吊り具１０は、
相対向する内壁面１０１を有する物品１００を吊り上げるための吊り具であって、
物品１００の内壁面１０１、１０１間の上部において物品１００に載置される中央部材２０と、
この中央部材２０の両側において前記内壁面１０１に近い位置でそれぞれ軸１１で回動可能に取り付けられた一対の梃部材３０とを備えている。
【００２１】
一対の梃部材３０はそれぞれ、軸１１を支点とし、該支点１１と力点３１ｐとを結ぶ第１アーム部３１と、前記支点１１と作用点３２ｐとを結ぶ第２アーム部３２とを有している。
支点１１の下方に作用点３２ｐが配置され、力点３１ｐは他のリンクで互いに連結されることなく、外力としての吊り上げ力Ｆ（図２）が作用される。
【００２２】
図２に示すように、軸１１は、支点１１と作用点３２ｐとの距離をＬ２、軸１１と該軸１１に近接する内壁面１０１との水平方向距離をＬ１としたとき、Ｌ１＜Ｌ２となる位置に設けられている。
【００２３】
この吊り具１０によれば、一対の梃部材３０が軸１１で両側に回動可能に取り付けられた中央部材２０が、図２に示すように物品１００の内壁面１０１、１０１間の上部において物品１００に載置されるから、物品１００に対して容易にセットすることができる。
【００２４】
そのため、例えば従来技術（特許文献１）で必要とされたような、一対の梃部材の力点を連結するためのリンク（１）（２）および連結軸（９）を設けなくても、一対の梃部材３０の力点３１ｐに吊り上げ力Ｆを作用させることが可能となる。
【００２５】
したがって、一対の梃部材３０の力点３１ｐを連結するためのリンク等が不要になる分だけ、構造の簡素化および小型軽量化が可能になる。
【００２６】
また、一対の梃部材３０はそれぞれ中央部材２０の両側において物品１００の内壁面１０１に近い位置（支点１１と作用点３２ｐとの距離をＬ２、軸１１と該軸１１に近接する内壁面１０１との水平方向距離をＬ１としたとき、Ｌ１＜Ｌ２となる位置）に設けられた軸１１で中央部材２０に回動可能に取り付けられているので、第１アーム部３１の長さ３１Ｌに比べて第２アーム部３２の長さ（Ｌ２）を十分に短くすることが可能となる。
【００２７】
したがって、物品１００の吊り上げ時、物品１００の内壁面１０１に対する十分な押圧力（=反力Ｒ）を得ることが可能となる。なお、第１アーム部３１のモーメントアームを３１Ｌ’、第２アーム部３２のモーメントアームをＬ２’とすると、Ｒ＝Ｆ（３１Ｌ’／Ｌ２’）となる。
【００２８】
以上のように、この吊り具１０によれば、十分な押圧力を得ることができるとともに、構造の簡素化および小型軽量化が可能になる。
【００２９】
図２に示すように、第１アーム部３１はそれぞれ物品１００の吊り上げ時、物品１００の上方において物品１００の外側まで延び、その力点３１ｐに外力としての吊り上げ力Ｆが作用される。
第２アーム部３２はそれぞれ物品１００の吊り上げ時、支点１１の下方に位置し、その作用点３２ｐが物品１００の内壁面１０１に押圧される。
【００３０】
このように構成すると、一対の第１アーム部３１がそれぞれ物品１００の吊り上げ時、物品１００の上方において物品１００の外側まで延びているため、一対の第１アーム部３１を二人の作業員で持ち上げるのに好都合な吊り具を提供することができる。
【００３１】
中央部材２０の両端には、それぞれ物品１００の内壁面１０１に連なる上面１０２と当接することで、物品１００に対する中央部材２０の上下方向の位置決めを行う位置決め部２１が設けられている。
このように構成すると、内壁面１０１の適切な位置を作用点３２ｐで押圧することが可能となる。
【００３２】
位置決め部２１は物品１００の上面に連なる外壁面１０３と対向する反力受け２２を有しており、反力受け２２には、先端が外壁面１０３と当接するボルト２３が設けられている。
このように構成すると、第２アーム部３２による内壁面１０１に対する押圧力が仮に過度になったとしても、その過度分を反力受け２２で受け止めることが可能となるため、物品１００の破損を防止することができる。
【００３３】
図示のものはボルト２３を一対の反力受け２２にそれぞれ設けたが、少なくとも一方の反力受け２２に設ければ、同様の効果を得ることができる。
なお、このような反力受け２２およびボルト２３は、図３および図４に示して後述する吊り具１０’にも設けることが可能である。
【００３４】
図示の物品１００はコンクリートＵ字溝であり、軸１１と該軸１１に近接する内壁面１０１との水平方向距離Ｌ１は、２〜７ｃｍとする。
このように構成すると、コンクリートＵ字溝１００を吊り上げるのに好適な吊り具を提供することができる。
【００３５】
吊り具を構成する各部材、中央部材２０、梃部材３０等は、いずれも金属（例えば鉄、ステンレス等）で構成することができる。
軸１１はボルトで構成することができる。図１（ａ）において、１１ｎはナットである。
【００３６】
図１（ｅ）（ｆ）に示すように、梃部材３０は、中央部材２０を跨ぐように配置される一対の側板３３，３３と、これら側板３３の上部を一体に連結する天板３４と、側板３３の下端（内壁面１０１と対向する側の下端）同士を一体に連結するピン（３２ｐ）を有している。
天板３４に一体に、第１アーム部３１をなすレバー部（３１）が連結されている。
ピン（３２ｐ）は作用点３２ｐを構成する。
３２ｈは軸１１の挿通穴である。
同じく図１（ｄ）において２０ｈは軸１１の挿通穴である。
【００３７】
図３および図４に示す吊り具１０’は、図１および図２に示す吊り具１０と基本構成は同じであるが、念のため、その基本構成について先ず説明し、次いで、主な相違点について説明する。
【００３８】
図３および図４に示す吊り具１０’は、
相対向する内壁面１０１を有する物品１００を吊り上げるための吊り具であって、
物品１００の内壁面１０１、１０１間の上部において物品１００に載置される中央部材２０と、
この中央部材２０の両側において前記内壁面１０１に近い位置でそれぞれ軸１１で回動可能に取り付けられた一対の梃部材３０とを備えている。
【００３９】
一対の梃部材３０はそれぞれ、軸１１を支点とし、該支点１１と力点３１ｐとを結ぶ第１アーム部３１と、前記支点１１と作用点３２ｐとを結ぶ第２アーム部３２とを有している。
支点１１の上方に作用点３２ｐが配置され、力点３１ｐは他のリンクで互いに連結されることなく、外力としての吊り上げ力Ｆ（図２）が作用される。
【００４０】
図２に示すように、軸１１は、支点１１と作用点３２ｐとの距離をＬ２、軸１１と該軸１１に近接する内壁面１０１との水平方向距離をＬ１としたとき、Ｌ１＜Ｌ２となる位置に設けられている。
【００４１】
この吊り具１０によれば、一対の梃部材３０が軸１１で両側に回動可能に取り付けられた中央部材２０が、図２に示すように物品１００の内壁面１０１、１０１間の上部において物品１００に載置されるから、物品１００に対して容易にセットすることができる。
【００４２】
そのため、例えば従来技術（特許文献１）で必要とされたような、一対の梃部材の力点を連結するためのリンク（１）（２）および連結軸（９）を設けなくても、一対の梃部材３０の力点３１ｐに吊り上げ力Ｆを作用させることが可能となる。
【００４３】
したがって、一対の梃部材３０の力点３１ｐを連結するためのリンク等が不要になる分だけ、構造の簡素化および小型軽量化が可能になる。
【００４４】
また、一対の梃部材３０はそれぞれ中央部材２０の両側において物品１００の内壁面１０１に近い位置（支点１１と作用点３２ｐとの距離をＬ２、軸１１と該軸１１に近接する内壁面１０１との水平方向距離をＬ１としたとき、Ｌ１＜Ｌ２となる位置）に設けられた軸１１で中央部材２０に回動可能に取り付けられているので、第１アーム部３１の長さ３１Ｌに比べて第２アーム部３２の長さ（Ｌ２）を十分に短くすることが可能となる。
【００４５】
したがって、物品１００の吊り上げ時、物品１００の内壁面１０１に対する十分な押圧力（=反力Ｒ）を得ることが可能となる。なお、第１アーム部３１のモーメントアームを３１Ｌ’、第２アーム部３２のモーメントアームをＬ２’とすると、Ｒ＝Ｆ（３１Ｌ’／Ｌ２’）となる。
【００４６】
以上のように、この吊り具１０’によれば、十分な押圧力を得ることができるとともに、構造の簡素化および小型軽量化が可能になる。
【００４７】
中央部材２０の両端には、それぞれ物品１００の内壁面１０１に連なる上面１０２と当接することで、物品１００に対する中央部材２０の上下方向の位置決めを行う位置決め部２１が設けられている。
このように構成すると、内壁面１０１の適切な位置を作用点３２ｐで押圧することが可能となる。
【００４８】
図示の物品１００は落とし蓋式コンクリートＵ字溝であり、軸１１と該軸１１に近接する内壁面１０１との水平方向距離Ｌ１は、２〜７ｃｍとする。
このように構成すると、コンクリートＵ字溝１００を吊り上げるのに好適な吊り具を提供することができる。
なお、図３に示す吊り具１０’は図２に示したコンクリートＵ字溝１００を吊り上げるのに利用することもできる。
【００４９】
次いで、主な相違点について説明する。
図３，図４に示す吊り具１０’の第１アーム部３１はそれぞれ物品１００の吊り上げ時、互いに交差することなく力点３１ｐ同士が相対向するように支点１１より物品１００の内側に延び、各力点３１ｐに外力としての吊り上げ力Ｆが作用される。
第２アーム部３２はそれぞれ物品１００の吊り上げ時、支点１１の上方に位置し、その作用点３２ｐが物品１００の内壁面１０１に押圧される。
【００５０】
このような吊り具１０’によると、一対の第１アーム部３１がそれぞれ物品１００の吊り上げ時、互いに交差することなく力点３１ｐ同士が相対向するように支点１１より物品１００の内側に延びているため、これら力点３１ｐにワイヤー等の吊り部材（図示せず）を連結して重機等で物品（落とし蓋式コンクリートＵ字溝）１００を吊り上げるのに好都合な吊り具を提供することができる。
【００５１】
中央部材２０の上部には、該中央部材２０を物品１００上に載置する際に把持される把持部２４が設けられている。
このように構成すると、吊り具を物品１００上に容易に載置（セット）することができる。
【００５２】
なお、把持部２４は、前述した（図１，図２に示した）吊り具１０に対しても設けることができる。
図３（ｃ）（ｄ）にしめすように把持部２４は中央部材の側面に溶接等により一体に固着された支柱部２４ｂと、この支柱部２４ｂから水平方向へ屈曲して軸１１と同方向に延びる握り部２４ｃとを有している。
【００５３】
図３（ｅ）（ｆ）に示すように、梃部材３０は、中央部材２０を跨ぐように配置される一対の側板３３，３３と、これら側板３３の上部を一体に連結する天板３４とを有している。
天板３４が第１アーム部３１を構成し、かつ、天板３４の外端縁部（３２ｐ）が作用点３２ｐを構成する。
【００５４】
天板３４の内側上面には２本の補強リブ３５が設けられており、これら補強リブ３５，３５の中央部を一体に連結する連結部３６が力点３１ｐを構成している。
３２ｈは軸１１の挿通穴である。同じく図３（ｄ）において２０ｈは軸１１の挿通穴である。
なお、第２アーム部３２は第１アーム部３１の一部として構成されている。
【００５５】
以上、本発明の実施の形態について説明したが、本発明は上記の実施の形態に限定されるものではなく、本発明の要旨の範囲内において適宜変形実施可能である。
【符号の説明】
【００５６】
１０：    吊り具
１１：    軸（支点）
２０：    中央部材
２１：    位置決め部
２２：    反力受け
２３：    ボルト
２４：    把持部
３０：    梃部材
３１ｐ：  力点
３２：    第２アーム部
３２ｐ：  作用点
１００：    物品
１０１：    内壁面
１０２：    上面
１０３：    外壁面
【要約】
【課題】十分な押圧力を得ることができるとともに、構造の簡素化および小型軽量化が可能な吊り具を提供する。
【解決手段】相対向する内壁面１０１を有する物品１００を吊り上げるための吊り具であって、物品１００の内壁面１０１間の上部において物品に載置される中央部材２０と、中央部材２０の両側において内壁面１０１に近い位置でそれぞれ軸１１で回動可能に取り付けられた一対の梃部材３０とを備え、一対の梃部材３０はそれぞれ、軸１１を支点とし、支点１１と力点３１ｐとを結ぶ第１アーム部３１と、支点１１と作用点３２ｐとを結ぶ第２アーム部３２とを有し、支点１１の上方又は下方に作用点３２ｐが配置され、力点３１ｐは他のリンクで互いに連結されることなく、外力としての吊り上げ力が作用され、軸１１は、支点１１と作用点３２ｐとの距離をＬ２、軸１１と内壁面１０１との水平方向距離をＬ１としたとき、Ｌ１＜Ｌ２となる位置に設けられている。
【選択図】図２【図１】
0005711847.tif 000002
【図２】
0005711847.tif 000003
【図３】
0005711847.tif 000004
【図４】
0005711847.tif 000005
【図５】
0005711847.tif 000006